(57)【特許請求の範囲】
【請求項１】
コレステリック液晶を互いに対向状態で交差する複数のコモン電極と複数のセグメント電極とでマトリクス駆動する、コレステリック液晶表示素子の駆動方法であって、
前記各コモン電極から、前記コレステリック液晶をホメオトロピック配向状態にするためのリセット波形、前記コレステリック液晶の最終的な配向状態を選択するための選択波形、前記選択波形で選択された配向状態を保持するための保持波形、マトリクス駆動するために生じる非選択波形を含むコモン電極駆動電圧波形を、コレステリック液晶表示素子に順次印加して表示内容の書き込みを行うステップと、
表示内容の書込み中に、前記各セグメント電極から、前記コレステリック液晶の最終的な配向状態をプレーナー配向状態に決定するＯＮ波形と、前記コレステリック液晶の最終的な配向状態をフォーカルコニック配向状態に決定するＯＦＦ波形とを少なくとも含むセグメント電極駆動電圧波形を、コレステリック液晶表示素子に印加するステップとを含み、
前記コモン電極駆動電圧波形は、表示内容の書き込み中に最初のコモン電極に保持波形が印加され始めてから最後のコモン電極にリセット波形が印加され終わるまでの期間内に、前記全コモン電極に同時に同じ電圧が印加される期間を含まないように形成され、および前記セグメント電極駆動電圧波形は、表示内容の書き込み中に前記全セグメント電極に同時に同じ電圧が印加される期間を含むように形成され、
前記リセット波形，選択波形，保持波形，非選択波形，ＯＮ波形，ＯＦＦ波形の各々は、同一数のユニット期間を有し、前記リセット波形，選択波形，保持波形，非選択波形は、同一のユニット期間において２値の電圧を有し、前記ＯＮ波形，ＯＦＦ波形は、同一ユニット期間において２値以下の電圧を有することを特徴とするコレステリック液晶表示素子の駆動方法。
【請求項２】
前記リセット波形，選択波形，保持波形，非選択波形が、２値の電圧からなることを特徴とする請求項１に記載のコレステリック液晶表示素子の駆動方法。
【請求項３】
前記リセット波形，選択波形，保持波形，非選択波形が、３値の電圧からなることを特徴とする請求項１に記載のコレステリック液晶表示素子の駆動方法。
【請求項４】
前記リセット波形，選択波形，保持波形，非選択波形が、４値の電圧からなることを特徴とする請求項１に記載のコレステリック液晶表示素子の駆動方法。
【請求項５】
前記リセット波形の電圧の最大値と、前記保持波形の電圧の最大値とが等しいことを特徴とする請求項２，３または４に記載のコレステリック液晶表示素子の駆動方法。
【請求項６】
前記ＯＮ波形およびＯＦＦ波形が、３値の電圧からなることを特徴とする請求項２，３または４に記載のコレステリック液晶表示素子の駆動方法。
【請求項７】
前記ＯＮ波形およびＯＦＦ波形が、４値の電圧からなることを特徴とする請求項２に記載のコレステリック液晶表示素子の駆動方法。
【請求項８】
前記ＯＮ波形およびＯＦＦ波形が、２値の電圧からなることを特徴とする請求項３に記載のコレステリック液晶表示素子の駆動方法。
【請求項９】
前記ＯＮ波形またはＯＦＦ波形の電圧波形と、前記非選択波形の電圧波形とが同じであることを特徴とする請求項２に記載のコレステリック液晶表示素子の駆動方法。
【請求項１０】
前記選択波形の電圧波形と、前記非選択波形の電圧波形とが同じであることを特徴とする請求項２に記載のコレステリック液晶表示素子の駆動方法。
【請求項１１】
複数のコモン電極と複数のセグメント電極との各交差部で画素を形成するコレステリック液晶表示素子と、
前記表示素子のコレステリック液晶をホメオトロピック配向状態にするためのリセット波形、前記コレステリック液晶の最終的な配向状態を選択するための選択波形、前記選択期間で選択された配向状態を保持するための保持波形、マトリクス駆動するために生じる非選択波形を含む駆動電圧波形を、前記各コモン電極から前記コレステリック液晶表示素子に順次印加して表示内容を書き込むコモンドライバと、
表示内容の書込み中に、前記コレステリック液晶の最終的な配向状態をプレーナー配向状態に決定するＯＮ波形と、前記コレステリック液晶の最終的な配向状態をフォーカルコニック配向状態に決定するＯＦＦ波形とを少なくとも含む駆動電圧波形を、前記コレステリック液晶表示素子に印加するセグメントドライバと、
前記コモンドライバおよびセグメントドライバを制御するコントローラとを備え、
前記コントローラは、前記リセット波形，選択波形，保持波形，非選択波形，ＯＮ波形，ＯＦＦ波形の各々が、同一数のユニット期間を有し、前記リセット波形，選択波形，保持波形，非選択波形は、同一のユニット期間において２値の電圧を有し、前記ＯＮ波形，ＯＦＦ波形は、同一ユニット期間において２値以下の電圧を有するように、前記コモンドライバおよびセグメントドライバを制御することを特徴とするコレステリック液晶表示装置。
【請求項１２】
前記コントローラは、表示内容の書き込み中に、最初のコモン電極に保持波形が印加され始めてから最後のコモン電極にリセット波形が印加され終わるまでの期間内に、前記全コモン電極に同じ電圧を出力する期間を含まないように前記コモンドライバを制御し、および前記全セグメント電極に同じ電圧を出力する期間を含むように前記セグメントドライバを制御することを特徴とする請求項１１に記載のコレステリック液晶表示装置。
【請求項１３】
前記コントローラは、前記コモン電極への出力電圧が、２値の電圧からなるように、前記コモンドライバを制御することを特徴とする請求項１２に記載のコレステリック液晶表示装置。
【請求項１４】
前記コントローラは、前記コモン電極への出力電圧を３値Ｖｈ，Ｖｍ，Ｖ１（Ｖｈ＞Ｖｍ＞Ｖ１）とし、表示内容の書き込みを行うために前記コモン電極に出力する電圧波形が、ＶｈとＶｍの２値を選択して出力するユニット期間と、ＶｍとＶ１の２値を選択して出力するユニット期間とを有するように前記コモンドライバを制御することを特徴とする請求項１２に記載のコレステリック液晶表示装置。
【請求項１５】
前記コントローラは、前記コモン電極への出力電圧を３値Ｖｈ，Ｖｍ，Ｖ１（Ｖｈ＞Ｖｍ＞Ｖ１）とし、表示内容の書き込みを行うために前記コモン電極に出力する電圧波形が、ＶｈとＶｌの２値を選択して出力するユニット期間と、ＶｍとＶ１の２値を選択して出力するユニット期間とを有するように前記コモンドライバを制御することを特徴とする請求項１２に記載のコレステリック液晶表示装置。
【請求項１６】
前記コントローラは、前記コモン電極への出力電圧を４値の電圧Ｖｈ，Ｖｍｈ，Ｖｍｌ，Ｖｌ（Ｖｈ＞Ｖｍｈ＞Ｖｍｌ＞Ｖｌ）とし、表示内容の書き込みを行うために前記コモン電極に出力する電圧波形が、ＶｈとＶｌの２値を選択して出力するユニット期間と、ＶｍｌとＶｌの２値を選択して出力するユニット期間と、ＶｍｈとＶｍｌの２値を選択して出力するユニット期間とを有するように前記コモンドライバを制御することを特徴とする請求項１２に記載のコレステリック液晶表示装置。
【請求項１７】
前記コントローラは、前記セグメント電極への出力電圧を４値の電圧Ｖ１，Ｖ２，Ｖ３，Ｖ４（Ｖ１＞Ｖ２＞Ｖ３＞Ｖ４）とし、表示内容の書き込みを行うために前記セグメント電極に出力する電圧波形が、Ｖ１のみを選択して出力するユニット期間と、Ｖ４のみを選択して出力するユニット期間と、Ｖ１とＶ２の２値を選択して出力するユニット期間と、Ｖ３とＶ４の２値を選択して出力するユニット期間とを有するように、前記セグメントドライバを制御することを特徴とする請求項１２に記載のコレステリック液晶表示装置。
【請求項１８】
前記コントローラは、前記セグメント電極への出力電圧を３値の電圧Ｖ１，Ｖ２，Ｖ４（Ｖ１＞Ｖ２＞Ｖ４）とし、表示内容の書き込みを行うために前記セグメント電極に出力する電圧波形が、Ｖ４のみを選択して出力するユニット期間と、Ｖ１とＶ２の２値を選択して出力するユニット期間とを有するように前記セグメントドライバを制御することを特徴とする請求項１２に記載のコレステリック液晶表示装置。
【請求項１９】
前記コントローラは、前記セグメント電極への出力電圧を３値の電圧Ｖ１，Ｖ２，Ｖ４（Ｖ１＞Ｖ２＞Ｖ４）とし、表示内容の書き込みを行うために前記セグメント電極に出力する電圧波形が、Ｖ１のみを選択して出力するユニット期間と、Ｖ２のみを選択して出力するユニット期間と、Ｖ４のみを選択して出力するユニット期間と、Ｖ１とＶ２の２値を選択して出力するユニット期間とを有するように前記セグメントドライバを制御することを特徴とする請求項１２に記載のコレステリック液晶表示装置。
【請求項２０】
前記コントローラは、前記セグメント電極への出力電圧を３値の電圧Ｖ１，Ｖ２，Ｖ４（Ｖ１＞Ｖ２＞Ｖ４）とし、表示内容の書き込みを行うために前記セグメント電極に出力する電圧波形が、Ｖ１のみを選択して出力するユニット期間と、Ｖ４のみを選択して出力するユニット期間と、Ｖ２とＶ４の２値を選択して出力するユニット期間とを有するように前記セグメントドライバを制御することを特徴とする請求項１２に記載のコレステリック液晶表示装置。
【請求項２１】
前記コントローラは、前記セグメント電極への出力電圧が、２値の電圧からなるように、前記セグメントドライバを制御することを特徴とする請求項１２に記載のコレステリック液晶表示装置。
【請求項２２】
前記コントローラは、前記セグメント電極およびコモン電極に出力する電圧が４２Ｖ以下となるように、前記セグメントドライバおよびコモンドライバを制御することを特徴とする請求項１１〜２１のいずれかに記載のコレステリック液晶表示装置。
【発明の詳細な説明】
技術分野
本発明は、液晶表示装置（ＬＣＤ）および液晶表示素子の駆動方法、詳しくは、互いに対向状態で交差する複数のコモン電極と複数のセグメント電極とから液晶層に電圧波形を入力するようにしたコレステリック液晶表示装置およびコレステリック液晶表示素子の駆動方法に関する。
背景技術
コレステリック液晶表示装置は、外光の反射を利用した明るい表示が可能であること、電源を切っても、表示内容が消えないこと、単純マトリクス駆動で大容量表示が可能であることなどの利点を有することから、近年、電子ペーパー分野で注目されている。しかし、駆動速度が遅いという欠点も有しており、その対策法が望まれていた。
このような問題点を鑑みて、米国特許5,748,277号公報には、ＤＤＳ（Dynamic Drive Scheme）法と名づけられた駆動方法が提案されている。図１に、ＤＤＳ法の駆動電圧波形を示すが、液晶をホメオトロピック配向状態にするためのリセット期間、最終的な表示がプレーナー配向状態か、フォーカルコニック配向状態か、またはその中間状態かを決定する選択期間、選択期間で選択された配向状態を保持するための保持期間、単純マトリクス駆動をするために生じる非選択期間を有している。
一例として、コモン電極数が１６本の単純マトリクス液晶表示素子を駆動させるために、コモン電極に印加される電圧のタイミング図を、図２に示す。コモン電極には、リセット期間，選択期間，保持期間，非選択期間に対応した電圧、すなわちリセット波形，選択波形，保持波形，非選択波形を、選択期間の長さ分ずらして順次コモン電極に印加していく。ＤＤＳ法では、選択期間を室温でも１ｍｓｅｃ以下にすることが可能であるので、ＤＤＳ法は高速駆動に適した方法であるといえる。
ところで、図２のＡ区間に注目すると、コモン電極１１〜１６にはリセット波形を、コモン電極１０には選択波形を、コモン電極４〜９には保持波形を、コモン電極１〜３には非選択波形を入力する必要がある。すなわち、コレステリック液晶表示素子をＤＤＳ駆動するためコモン電極側に使用されるコモンドライバＩＣには、同時にリセット波形，選択波形，保持波形，非選択波形の４種類の電圧波形を出力できる機能が要求される。
SID'97 Digest,899（1997）には、実際にＤＤＳ駆動を行う場合に、コレステリック液晶表示素子のコモン電極，セグメント電極に入力される電圧波形が記載されている。その形状を図３Ａ，図３Ｂに示す。
図３Ａにおいて、上段にはコモン電極に入力される波形を、左欄にはセグメント電極に入力される波形を、左欄を除いた中断および下段には、コモン電極とセグメント電極との間に入力される合成波形（コモン電極に入力される波形とセグメント電極に入力される波形の差）を示している。
図３Ｂは、コモン電極に入力される波形とセグメント電極に入力される波形とを比較するために、時間軸を併せて縦方向に並べた図である。図３Ｂによれば、コモン電極に入力されるリセット波形，選択波形，保持波形，非選択波形は、それぞれ▲１▼〜▲４▼の４つのユニット期間からなるが、各ユニット期間毎に、常に４値の電圧が必要であることがわかる。
この方法では、各波形の▲１▼〜▲４▼の各ユニット期間毎に、常に同時に４値の電圧が供給できるドライバＩＣが必要である。ＳＴＮ（Super Twisted Nematic）で使用されている汎用ドライバＩＣは、通常、同時に出力できる電圧の値は２つである（２値出力）ため、ＤＤＳ駆動を行うためには、専用のドライバＩＣを作製する必要があった。
SID'02 Digest,546（2002）には、同時に出力する電圧値の数を減らす検討がされている。この場合に、コモン電極，セグメント電極に入力される波形を図４Ａ，図４Ｂに示す。コモン電極に入力される電圧は、３値に減らされている。これにより、ドライバＩＣの面積を小さくすることができるので、コストダウンが可能であるが、▲２▼〜▲４▼のユニット期間では、３値の電圧が必要であるので、３値出力の専用のドライバＩＣがやはり必要であった。
さらに、特開2001-228459号公報には、コモン電極に電圧を印加するコモン電極用ドライバの出力電圧を２値にする方法が開示されている。しかし、コレステリック液晶表示素子の表示内容の書き込みには、コモン電極側には３値の電圧を使用し、コモン電極側には電圧切り替え手段を設ける必要があった。また、リセット期間が選択期間と分離されているので、見やすい表示を行えるコモン電極の数に限りがあった。
発明の開示
本発明の目的は、ドライバＩＣの出力電圧を２値以下にすることのできる駆動電圧波形を定めることにより、ＤＤＳ駆動専用に作製するドライバＩＣのコストを抑えることができる駆動方法を提供することにある。
本発明の他の目的は、上記の駆動方法を実現するコレステリック液晶液晶表示装置を提供することにある。
本発明の第１の態様は、コレステリック液晶を互いに対向状態で交差する複数のコモン電極と複数のセグメント電極とでマトリクス駆動する、コレステリック液晶表示素子の駆動方法である。この駆動方法によれば、各コモン電極から、コレステリック液晶をホメオトロピック配向状態にするためのリセット波形，コレステリック液晶の最終的な配向状態を選択するための選択波形、選択波形で選択された配向状態を保持するための保持波形、マトリクス駆動するために生じる非選択波形を含むコモン電極駆動電圧波形を、コレステリック液晶表示素子に順次印加して表示内容の書き込みを行うステップと、表示内容の書込み中に、各セグメント電極から、コレステリック液晶の最終的な配向状態をプレーナー配向状態に決定するＯＮ波形と、コレステリック液晶の最終的な配向状態をフォーカルコニック配向状態に決定するＯＦＦ波形とを少なくとも含むセグメント電極駆動電圧波形を、コレステリック液晶表示素子に印加するステップとを含み、コモン電極駆動電圧波形は、表示内容の書き込み中に最初のコモン電極に保持波形が印加され始めてから最後のコモン電極にリセット波形が印加され終わるまでの期間内に、全コモン電極に同時に同じ電圧が印加される期間を含まないように形成され、およびセグメント電極駆動電圧波形は、表示内容の書き込み中に全セグメント電極に同時に同じ電圧が印加される期間を含むように形成されている。
本発明の第２の態様は、コレステリック液晶表示装置である。この液晶表示装置は、複数のコモン電極と複数のセグメント電極との各交差部で画素を形成するコレステリック液晶表示素子と、表示素子のコレステリック液晶をホメオトロピック配向状態にするためのリセット波形、コレステリック液晶の最終的な配向状態を選択するための選択波形、選択期間で選択された配向状態を保持するための保持波形、マトリクス駆動するために生じる非選択波形を含む駆動電圧波形を、各コモン電極からコレステリック液晶表示素子に順次印加して表示内容を書き込むコモンドライバと、表示内容の書込み中に、コレステリック液晶の最終的な配向状態をプレーナー配向状態に決定するＯＮ波形と、コレステリック液晶の最終的な配向状態をフォーカルコニック配向状態に決定するＯＦＦ波形とを少なくとも含む駆動電圧波形を、コレステリック液晶表示素子に印加するセグメントドライバと、コモンドライバおよびセグメントドライバを制御するコントローラとを備えている。コントローラは、リセット波形，選択波形，保持波形，非選択波形，ＯＮ波形，ＯＦＦ波形の各々が、同一数のユニット期間を有し、リセット波形，選択波形，保持波形，非選択波形は、同一のユニット期間において、２値の電圧を有し、ＯＮ波形，ＯＦＦ波形は、同一ユニット期間において、２値以下の電圧を有するように、コモンドライバおよびセグメントドライバを制御する。
【図面の簡単な説明】
図１は、ＤＤＳ法の駆動電圧波形を示す図である。
図２は、コモン電極に印加される電圧のタイミング図である。
図３Ａ，図３Ｂは、実際にＤＤＳ駆動を行う場合に、コレステリック液晶パネルのコモン電極，セグメント電極に入力される電圧波形を示す図である。
図４Ａ，図４Ｂは、実際にＤＤＳ駆動を行う場合に、コレステリック液晶パネルのコモン電極，セグメント電極に入力される電圧波形を示す図である。
図５は、本発明のコレステリック液晶表示装置の構成を示す概略図である。
図６は、本発明のコレステリック液晶表示装置に使用されるコレステリック液晶表示素子の概略図である。
図７Ａ，図７Ｂは、本発明の実施例１におけるコモン電極に出力するリセット波形，選択波形，保持波形，非選択波形、セグメント電極に出力するＯＮ波形，ＯＦＦ波形を示す図である。
図８Ａ，図８Ｂ，図８Ｃは、図７Ａ，図７Ｂに示した各波形でコレステリック液晶表示素子のマトリクス駆動を行うために、各コモン電極，各セグメント電極に出力する電圧波形の一例を示す図である。
図９は、図８Ａの画素に印加される電圧波形を示す図である。
図１０は、液晶表示素子に印加した電圧波形の概略図である。
図１１Ａ，図１１Ｂは、階調表示を可能とするＤＤＳ駆動電圧波形を示す図である。
図１２は、電圧波形を示す図である。
図１３Ａ，図１３Ｂは、電圧波形を示す図である。
図１４Ａ，図１４Ｂは、電圧波形を示す図である。
図１５Ａ，図１５Ｂは、電圧波形を示す図である。
図１６Ａ，図１６Ｂは、電圧波形を示す図である。
図１７Ａ，図１７Ｂは、電圧波形を示す図である。
発明を実施するための最良の形態
図５は、本発明のコレステリック液晶表示装置の構成を示す概略図である。本発明のコレステリック液晶表示装置は、コレステリック液晶を互いに対向状態で交差する複数のコモン電極ＣＯＭ１，ＣＯＭ２，…と複数のセグメント電極ＳＥＧ１，ＳＥＧ２，…とでマトリクス駆動するコレステリック液晶表示素子１０と、本発明の駆動方法で表示内容の書き込みを行う機構とを具備したものである。この機構は、コモンドライバ１２，セグメントドライバ１４，コントローラ１６，電源１８により構成されている。
コレステリック液晶表示素子１０のコモン電極は、コモンドライバ１２の出力端子に接続され、セグメント電極はセグメントドライバ１４の出力端子に接続されている。コントローラ１６から与えられたデータに基づき、コモンドライバ１２からコモン電極ＣＯＭ１，ＣＯＭ２…に、セグメントドライバ１４からセグメント電極ＳＥＧ１，ＳＥＧ２，…に、それぞれ電圧が印加される。液晶表示素子の画素には、それらの電圧の差が印加される。
本発明では、コモン電極およびセグメント電極に出力する最大電圧を４２Ｖとしている。コモン電極およびコモン電極に印加される電圧は大きいほど、多様なコレステリック液晶表示素子に対応しやすいが、本発明の駆動方法、液晶表示素子の作りやすさ、光学特性、液晶の入手容易性など総合的に考えると、４２Ｖ以下で充分である。
図６は、本発明のコレステリック液晶表示装置に使用されるコレステリック液晶表示素子１０の概略図である。図６において、基板１としては、石英ガラス，ＳｉＯ2膜等のアルカリイオン溶出防止膜が形成されたソーダライムガラス、または、ポリエーテルスルフォン，ポリエチレンテレフタレート等のプラスチックフィルム、ポリカーボネート等のプラスチック基板が挙げられる。
基板１に、電極２，電気絶縁膜３，配向膜４をこの順に積層し、電極２を複数の直線状の電極にパターニングし、透明基板を作る。このような２枚の透明基板を、電極が交差するようにメインシール５で貼り合わせ、メインシールで仕切られたスペース内に、コレステリック液晶６を封じ込める。
ここで、電極２としては、ＩＴＯ（Indium Tin Oxide）が好適であるが、他にＳｎＯ2などの導電性金属酸化物や、ポリピロールやポリアニリン等の導電性樹脂などの導電性材料でも良い。
電気絶縁膜３は、ＳｉＯ2，ＴｉＯ2等の絶縁材料が好適である。電気絶縁膜は対向する電極間のシヨートを防止するために設けるもので、必ずしも必要ではない。
配向膜４としては、水平配向膜でも垂直配向膜でも良い。これらは、ポリイミド樹脂が好適であるが、含珪素，含フッ素，含窒素系の表面改質剤や樹脂を使用しても良い。
コレステリック液晶６は、正の誘電異方性を有するネマティック液晶と、１０〜５０重量％のカイラル剤とからなるものが好適である。使用するネマティック液晶としては、室温で６０ｍＰａ・ｓ以下で、誘電率異方性△εが８以上のものが好ましい。高粘性液晶ほど、コントラストが充分な表示を得るために選択期間を長くする必要がある。液晶の粘度が室温でおよそ６０ｍＰａ・ｓを超えると、選択期間を長くすることが顕著になるので好ましくない。一方、△εが小さい液晶ほど、駆動電圧を高く設定する必要がある。液晶のΔεが室温でおよそ８より小さいと、駆動電圧を高く設定することが顕著になるので好ましくない。ネマティック液晶としては、特に限定しないが、その一例として、シアノビフェニル型，フェニルシクロヘキシル型，フェニルベンゾエート型，シクロヘキシルベンゾエート型，トラン型等の液晶が挙げられる。
コレステリック液晶は、高分子マトリクス中に分散したものや、カプセル化したものでも良い。コレステリック液晶の選択反射波長は、可視域にあるものだけではなく、赤外域にあっても良い。
コレステリック液晶層の電極間距離は、可視光反射の場合には、６．０μｍ以下が好ましい。６．０μｍを超えると、フォーカルコニック状態の白濁が顕著になるので好ましくない。
観察側と反対面には、光吸収膜７を形成しても良い。光吸収膜の色については、特に限定はしないが、黒または青が好まれる。また、光吸収膜７の代わりに反射板，偏向板，位相差板などの光学フィルムを貼っても良い。
観察側の面には、偏向板，位相差板，紫外線カット等の機能を有する光学フィルムを貼っても良い。
以下、実施例，比較例を用いて、本発明を具体的に説明する。
実施例１
本実施例においてコモン電極に出力するリセット波形，選択波形，保持波形，非選択波形、セグメント電極に出力するＯＮ波形，ＯＦＦ波形を、図７Ａ，図７Ｂに示す。セグメント電極に出力するＯＦＦ波形、コモン電極に出力する非選択波形および選択波形の形状は同じである。また、リセット波形，選択波形，保持波形，非選択波形の最大電圧は共に４０Ｖである。
図７Ｂにおいて、コモン電極に入力されるリセット波形，選択波形，保持波形および非選択波形は、すべて同じ幅（０．８ｍｓｅｃ）であり、▲１▼〜▲４▼の４つのユニット期間からなるが、▲１▼〜▲４▼の各ユニット期間毎に、０Ｖと４０Ｖの２値の電圧で構成されている。したがって、コモンドライバ１２には、２値出力のドライバを用いることができる。
一方、セグメント電極に出力するＯＮ波形，ＯＦＦ波形もコモン電極に出力する各波形と同じ幅で、▲１▼〜▲４▼の４つのユニット期間からなるが、ユニット期間▲１▼はＯＮ波形，ＯＦＦ波形とも同じ０Ｖであり、ユニット期間▲２▼は８Ｖと０Ｖであり、ユニット期間▲３▼は３２Ｖと４０Ｖであり、ユニット期間▲４▼はＯＮ波形，ＯＦＦ波形とも同じ４０Ｖである。このように、セグメント電極に出力する波形は、全部で４値の電圧で構成されている。ユニット期間▲２▼，▲３▼は、２値の電圧からなっているので、セグメントドライバ１４には、出力が２値以下のドライバを使用できる。
図８Ａ，図８Ｂ，図８Ｃに、図７Ａ，図７Ｂに示した各電圧波形でコレステリック液晶表示素子のマトリクス駆動を行うために、各コモン電極，各セグメント電極に実際に出力するＤＤＳ駆動電圧波形の一例を示す。図８Ａでは、説明を簡単にするために、コモン電極が４本，セグメント電極が３本のマトリクス構造の液晶表示素子１０を示す。なお、コレステリック液晶は、メモリ性を有するので、理論上、コモン電極およびセグメント電極の数に制限はない。
リセット期間，保持期間，非選択期間は、各々コモン電極に出力するリセット波形，保持波形，非選択波形の期間の整数倍とする。したがって、リセット期間，保持期間，非選択期間には、図７Ａに示したリセット波形，保持波形，非選択波形が整数回繰り返される。すなわち図８Ａでは、リセット期間中にリセット波形が３回繰り返され、保持期間中に保持波形が３回繰り返され、非選択期間中に非選択波形が３回繰り返される。ただし、リセット期間中に液晶の配向状態がホメオトロピック配向状態にリセットされなければならないので、３回分の波形の期間では足らない場合がある。リセット期間を長く設定すると、低電圧でリセットが可能であるが、通常は５〜１００ｍｓｅｃとする。一方、保持期間は、コモン電極に出力する保持波形の２回〜１００回分の期間が好ましい。より好ましくは保持波形の５〜５０回分の期間である。保持波形の１回分の期間では、フォーカルコニックの反射率が高く、保持期間の１００回分より多い期間ではプレーナーの反射率が低くなるので好ましくない。
図８Ａに示す通り、コモン電極に出力する電圧は、全コモン電極，全期間にわたって、２値（０Ｖ，４０Ｖ）である。これは、図７Ａに示したコモン電極に出力するリセット波形，選択波形，保持波形，非選択波形のすべてが２値の電圧で構成されているからである。
本実施例では、図８Ａに示すように、Ｄ区間では全コモン電極に同時に同じ電圧が出力されているが、最初のコモン電極に保持波形が印加され始めてから最後のコモン電極にリセット波形が印加され終わるまでの期間内に、全コモン電極に同じ電圧を出力する期間を含まないないようにする。前記期間内に全コモン電極に同じ電圧を出力する期間があると、リセット期間に低電圧区間ができる、または非選択期間に高電圧区間ができるので、リセット期間にコレステリック液晶をホメオトロピック配向状態にするために、コモン電極およびセグメント電極に出力する電圧をさらに高くする必要が生じたり、保持期間が終了してプレーナー配向状態になった画素の反射率が、非選択期間に出力される電圧によって低下する事態が生じることになるからである。
最初のコモン電極に保持波形が印加され始めてから最後のコモン電極にリセット波形が印加され終わるまでの期間内に、全コモン電極に同じ電圧を出力する期間を含まないようにするためには、図７Ｂに示したコモン電極に出力するリセット波形，選択波形，保持波形，非選択波形の各々の設定を、ユニット期間▲１▼〜▲４▼毎に、すべての波形が同じ電圧になる部分がないようにする。
一方、セグメント電極側は、図８Ａに示すＢ区間およびＣ区間のように、セグメント電極に同時に同じ電圧を出力するユニット期間を設けるようにする。Ｂ区間は、図７Ｂに示したセグメント電極に出力する各波形のユニット期間▲１▼に相当し、全セグメント電極に０Ｖの電圧が出力され、Ｃ区間はユニット期間▲４▼に相当し、全セグメント電極に４０Ｖの電圧が出力される。
液晶表示素子の画素には、コモン電極に出力する波形、セグメント電極に出力する波形の差が出力される。一例として、図８Ａの（ＣＯＭ２，ＳＥＧ３）、（ＣＯＭ３，ＳＥＧ２）の各画素に印加される電圧波形を図９に示す。波形（ａ）は、（ＣＯＭ２，ＳＥＧ３）の画素に印加される電圧波形を、波形（ｂ）は、（ＣＯＭ３，ＳＥＧ２）の画素に印加される電圧波形を示す。
以上の説明では、説明の便宜上、４×３のマトリクス構造の液晶表示素子を例に説明した。以下に、さらに具体例を説明する。コレステリック液晶表示素子１０としては、０．７ｇの大日本インキ化学工業製ネマティック液晶ＲＰＤ−８４２０２（粘度≒３０ｍＰａ・ｓ、△ε≒１０）に、０．２ｇのメルク社製カイラル剤ＣＢ−１５と、０．１ｇの旭電化工業社製カイラル剤ＣＮＬ−６１７Ｒとを混合して得たコレステリック液晶を使用して、図６に示すコレステリック液晶表示素子を作製した。液晶層の厚みは４．５μｍである。
得られたコレステリック液晶表示素子に、図７Ａに示すＤＤＳ駆動波形を用いて形成された表１に示すＤＤＳ駆動電圧波形を、図１０に示すように印加した。
0003688704.tif 000002
図１０には、リセット期間，選択期間，保持期間，非選択期間に、リセット波形，選択波形，保持波形，非選択波形が複数回繰り返し印加される状態を示しており、表１には、印加波形Ａ〜Ｈのそれぞれについて、各期間の波形繰り返し回数およびセグメント電極へのＯＮ波形，ＯＦＦ波形の印加の状態（ＯＮ，ＯＦＦ）を示している。
以上のようなＤＤＳ駆動電圧波形は、図５においてコントローラ１６からのデータでコモンドライバ１２およびセグメントドライバ１４を制御することによって形成される。
このようなＤＤＳ駆動電圧波形を液晶表示素子１０に印加し、液晶表示素子の表示を観察した結果（視感反射率）を、表１に示している。いずれの印加波形Ａ〜Ｈの場合も、選択波形の入力時にＯＮ波形を入力すると、コレステリック液晶はプレーナー配向状態に、ＯＦＦ波形を入力するとフォーカルコニック配向状態になった。プレーナー状態の視感反射率は１５％前後、フォーカルコニック状態は２．５％程度であり、コントラスト約６であった。
本実施例によれば、図７Ａに示した電圧波形を用いることによって、液晶表示素子を良好なコントラストで駆動することができ、コモンドライバ１２には、２値出力のものを、セグメントドライバ１４には、２値以下の出力のものを使用できることがわかる。
また本実施例によれば、リセット波形の電圧の最大値と、保持波形の電圧の最大値とが等しいので、従来技術のようにコモン電極側には電圧切り替え手段を設ける必要はなく、コモン電極に電圧を印加するコモン電極用ドライバの出力を２値にすることが可能である。
実施例２
本実施例では、図１１Ａ，図１１Ｂに示した電圧波形を用いる。図１１Ａ，図１１Ｂに示すコモン電極に出力する全電圧波形、セグメント電極に出力する全電圧波形は、すべて同じ長さ（１ｍｓｅｃ）であり、▲１▼〜▲６▼の６つのユニット期間からなる。
コモン電極側は、ユニット期間▲１▼〜▲６▼毎に、０Ｖと３６Ｖの２値の電圧（０Ｖ，３６Ｖ）で構成されている。図１１Ｂに示すように、リセット波形，選択波形，保持波形，非選択波形の全部が０Ｖまたは３６Ｖとなるユニット期間はない。したがって、コレステリック液晶表示装置では、表示内容の書き込み中に、最初のコモン電極に保持波形が印加され始めてから最後のコモン電極にリセット波形が印加され終わるまでの期間内に、コレステリック液晶表示素子の全コモン電極に同じ電圧が印加される期間は存在しない。本実施例では、コモンドライバ１２には、２値出力のものを利用することができる。
一方、セグメント電極に出力する波形は、図１１Ａに示すように、ＯＮ波形，ＯＦＦ波形，階調１（ＰＰＦ）波形，階調２（ＰＦＦ）波形のための全部で４値の電圧（Ｖ４＝０Ｖ，Ｖ３＝７Ｖ，Ｖ２＝２９Ｖ，Ｖ１＝３６Ｖ）で構成されているが、図１１Ｂに示すように、ユニット期間▲２▼は、各波形すべてＶ４（０Ｖ）、ユニット期間▲５▼は各波形すべて同じＶ１（３６Ｖ）である。したがって、コレステリック液晶表示装置では、表示内容の書き込み中にコレステリック液晶表示素子の全セグメント電極にＶ４（０Ｖ）が出力される期間と、全セグメント電極にＶ１（３６Ｖ）が出力される期間が含まれる。また、ユニット期間▲１▼およびユニット期間▲３▼は、Ｖ４（０Ｖ）とＶ３（７Ｖ）の２値の電圧で、ユニット期間▲４▼およびユニット期間▲６▼は、Ｖ２（２９Ｖ）とＶ１（３６Ｖ）の２値の電圧からなっているので、セグメントドライバ１４には、２値以下の出力のものを利用できる。
以上の電圧波形を用いて、図１０に示すようにコレステリック液晶表示素子に実際に出力したＤＤＳ駆動電圧波形、および視感反射率測定結果を表２に示す。
0003688704.tif 000003
いずれの印加波形Ａ〜Ｆの場合も、選択波形の入力時にＯＮ波形を入力すると、コレステリック液晶はプレーナー配向状態に、ＯＦＦ波形を入力するとフォーカルコニック配向状態に、階調１波形および階調２波形を入力すると、プレーナー配向状態とフォーカルコニック配向状態との中間状態（ＰＰＦ，ＰＦＦ）になった。プレーナー配向状態の視感反射率は１５％前後、フォーカルコニック配向状態は２．５％程度であり、中間状態は１１．５％および８．０％程度であった。
本実施例の駆動方法によれば、セグメント電極に出力する電圧波形に、Ｖ３およびＶ４からなる低電圧ユニット期間と、Ｖ１およびＶ２からなる高電圧ユニット期間を設け、低電圧ユニット期間内のＶ３出力のタイミング、高電圧ユニット期間内のＶ２出力のタイミングを調節することによって、コモンドライバ１２の出力を２値、セグメントドライバ１４の出力を２値以下としても、階調表示が可能である。
比較例１
実施例１，２の効果を確認するために、実施例１のコレステリック液晶パネルに図１２の電圧波形を用いたＤＤＳ駆動電圧波形を、液晶表示素子１０に印加して表示の状態を観察した。
図１２において、コモン電極に出力する波形は、ユニット期間毎に、２値の電圧で構成されている。一方、セグメント電極側に出力する波形には、同じ電圧のユニット期間が存在しない。すなわち、このコレステリック液晶表示装置では、表示内容の書き込み中にコレステリック液晶表示素子の全セグメント電極に同じ電圧が印加される期間は存在しない。
各波形の電圧および長さを種々変えて検討したが、コントラストが良好な表示を得ることができなかった。したがって、コレステリック液晶表示素子にコントラストの良好な表示を得るためには、実施例１、実施例２のように、コレステリック液晶表示素子の全セグメント電極に出力する波形（ＯＮ波形，ＯＦＦ波形）には、同じ電圧のユニット期間が必要であることがわかる。
実施例３
実施例１と同様にして、コモン電極数，セグメント電極数がそれぞれ１２０本のコレステリック液晶表示素子１０を作製した。図５に示すコレステリック液晶表示装置に上記コレステリック液晶表示素子を据え付けて、図１３Ａ，図１３Ｂに示す電圧波形を用いたＤＤＳ駆動電圧波形で表示を行った。
図１３において、コモン電極に出力する全電圧波形、セグメント電極に出力する全電圧波形は、すべて同じ長さ（１．２ｍｓｅｃ）であり、▲１▼〜▲４▼の４つのユニット期間からなる。
コモン電極に出力される波形は全部で２値の電圧（３５Ｖ，０Ｖ）で構成されている。また、リセット波形，選択波形，保持波形，非選択波形の全部が同じ電圧のユニット期間は存在しないので、コレステリック液晶表示装置では、表示内容の書き込み中にコレステリック液晶表示素子の最初のコモン電極に保持波形が印加され始めてから最後のコモン電極にリセット波形が印加され終わるまでの期間内に、全コモン電極に同じ電圧が印加される期間は存在しない。本実施例では、コモンドライバ１２には、２値出力のものを利用できる。
一方、セグメント電極に出力する波形は全部で３値の電圧（Ｖ４＝０Ｖ，Ｖ２＝２３Ｖ，Ｖ１＝３５Ｖ）で構成されているが、ユニット期間▲１▼および▲２▼は、ＯＮ波形，ＯＦＦ波形両者ともＶ４（０Ｖ）である。したがって、コレステリック液晶表示装置では、表示内容の書き込み中にコレステリック液晶表示素子の全セグメント電極にＶ４（０Ｖ）が出力される期間が含まれる。また、ユニット期間▲３▼および▲４▼はＶ１（３５Ｖ）とＶ２（２３Ｖ）の２値の電圧からなっているので、セグメントドライバ１４には、２値以下の出力のものを利用できる。
以上の電圧波形を用いて、図１０に示すようにコレステリック液晶表示素子に実際に出力したＤＤＳ駆動電圧波形は、リセット期間はリセット波形の期間の２０倍、保持期間は保持波形の期間の７倍に設定した。
コレステリック液晶表示素子１０には、コントラストが良好な表示が得られた。全面書き換えに要した時間は、０．２秒程度であった。
実施例４
０．６８ｇのチッソ社製ネマティック液晶ＮＡ−４３２０ＸＸ（△ε≒１５、粘度≒４０ｍＰａ・ｓ）に、０．２２ｇのメルク社製カイラル剤ＣＢ−１５  ０．２２ｇと、０．１ｇの旭電化工業社製カイラル剤ＣＮＬ−６１７Ｒを混合して得たコレステリック液晶を使用して、図６に示すコレステリック液晶表示素子１０を作製した。液晶層の厚みは４．０μｍである。
得られたコレステリック液晶表示素子に、図１４Ａ，図１４Ｂに示す電圧波形を用いたＤＤＳ駆動電圧波形を印加して、表示を観察した。
図１４に示すコモン電極に出力する全電圧波形、セグメント電極に出力する全電圧波形は、すべて同じ長さ（１ｍｓｅｃ）であり、▲１▼〜▲６▼の６つのユニット期間からなる。
コモン電極に出力される波形は、全部で３値の電圧（Ｖｈ＝４０Ｖ，Ｖｍ＝３０Ｖ，Ｖ１＝０Ｖ）で構成されているが、ユニット期間▲２▼がＶｈとＶｍの２値の電圧で、他のユニット期間はＶｍとＶ１の２値の電圧からなっているので、コモンドライバ１２には、２値の出力のものを利用できる。また、リセット波形，選択波形，保持波形，非選択波形の全部が同じ電圧のユニット期間は存在しないので、コレステリック液晶表示装置では、表示内容の書き込み中にコレステリック液晶表示素子の最初のコモン電極に保持波形が印加され始めてから最後のコモン電極にリセット波形が印加され終わるまでの期間内に、全コモン電極に同じ電圧が印加される期間は存在しない。
セグメント電極に出力される波形は、全部で３値の電圧（Ｖ４＝０Ｖ，Ｖ２＝２５Ｖ，Ｖ１＝３５Ｖ）で構成されているが、ユニット期間▲１▼はＯＮ波形，ＯＦＦ波形ともＶ１、ユニット期間▲３▼は、ＯＮ波形，ＯＦＦ波形ともＶ２、ユニット期間▲５▼およびユニット期間▲６▼は、ＯＮ波形，ＯＦＦ波形ともＶ４である。したがって、このコレステリック液晶表示装置では、表示内容の書き込み中にコレステリック液晶表示素子の全セグメント電極にＶ４（０Ｖ）が出力される期間、Ｖ２（２５Ｖ）が出力される期間、およびＶ１（３５Ｖ）が出力される期間が含まれる。また、ユニット期間▲２▼およびユニット期間▲４▼は、Ｖ１（３５Ｖ）とＶ２（２５Ｖ）の２値の電圧からなっているので、セグメントドライバ１４には、２値以下の出力のものを利用できる。
以上の電圧波形を用いて、図１０に示すようにコレステリック液晶表示素子に実際に出力したＤＤＳ駆動電圧波形、および視感反射率測定結果を表３に示す。
0003688704.tif 000004
いずれの場合も、選択波形の入力時にＯＮ波形を入力すると、コレステリック液晶はプレーナー配向状態に、ＯＦＦ波形を入力するとフォーカルコニック配向状態になった。プレーナー配向状態の視感反射率は１５％前後、フォーカルコニック配向状態は２．５％程度であり、コントラスト約６であった。
実施例５
実施例１で得られたコレステリック液晶表示素子１０に、図１５Ａ，図１５Ｂに示す電圧波形を用いたＤＤＳ駆動電圧波形を印加して、表示の視感反射率を測定した。
図１５Ａ，図１５Ｂに示すコモン電極に出力する全電圧波形、セグメント電極に出力する全電圧波形は、すべて同じ長さ（０．７ｍｓｅｃ）であり、▲１▼〜▲４▼の４つのユニット期間からなる。
コモン電極に出力される波形は全部で３値の電圧（Ｖｈ＝３５Ｖ，Ｖｍ＝１３Ｖ，Ｖ１＝０Ｖ）で構成されているが、ユニット期間▲２▼がＶｍとＶ１の２値の電圧で、他のユニット期間はＶｈとＶ１の２値の電圧からなっているので、コモンドライバ１２には、２値出力のものを利用できる。また、リセット波形，選択波形，保持波形，非選択波形の全部が同じ電圧のユニット期間は存在しないので、このコレステリック液晶表示装置では、表示内容の書き込み中にコレステリック液晶表示素子の最初のコモン電極に保持波形が印加され始めてから最後のコモン電極にリセット波形が印加され終わるまでの期間内に、全コモン電極に同じ電圧が印加される期間は存在しない。
セグメント電極に出力される波形は全部で２値の電圧（０Ｖ，８Ｖ）で構成されている。ユニット期間▲１▼および▲４▼はＯＮ波形，ＯＦＦ波形とも０Ｖであるので、このコレステリック液晶表示装置では、表示内容の書き込み中にコレステリック液晶表示素子の全セグメント電極に０Ｖが出力される期間が含まれる。したがって、セグメントドライバ１４には、２値以下の出力のものを利用できる。
以上の電圧波形を用いて、図１０に示すようにコレステリック液晶表示素子に実際に出力したＤＤＳ電圧駆動波形、および視感反射率測定結果を表４に示す。ＯＮ，ＯＦＦの表示が可能であった。
0003688704.tif 000005
実施例６
０．６８ｇのメルク社製ネマティック液晶ＭＬＣ−６６４６−０００（△ε≒２０、粘度≒５０ｍＰａ・ｓ）に、０．２２ｇのメルク社製カイラル剤ＣＢ−１５と、０．１ｇの旭電化工業社製カイラル剤ＣＮＬ−６１７Ｒとを混合して得たコレステリック液晶を使用して、図６に示すコレステリック液晶表示素子１０を作製した。液晶層の厚みは５．５μｍである。
得られたコレステリック液晶表示素子に、図１６Ａ，図１６Ｂに示す電圧波形を用いたＤＤＳ駆動電圧波形を印加して、表示を観察した。
図１６Ａ，図１６Ｂに示すコモン電極に出力する全電圧波形、セグメント電極に出力する全電圧波形は、すべて同じ長さ（１．５ｍｓｅｃ）であり、▲１▼〜▲６▼の６つのユニット期間からなる。
コモン電極に出力される波形は全部で２値の電圧（４０Ｖ，０Ｖ）で構成されている。また、リセット波形，選択波形，保持波形，非選択波形の全部が同じ電圧のユニット期間は存在しないので、このコレステリック液晶表示装置では、表示内容の書き込み中にコレステリック液晶表示素子の最初のコモン電極に保持波形が印加され始めてから最後のコモン電極にリセット波形が印加され終わるまでの期間内に、全コモン電極に同じ電圧が印加される期間は存在しない。本実施例では、コモンドライバ１２には、２値出力のものを利用できる。
セグメント電極に出力する波形は全部で４値の電圧（Ｖ４＝０Ｖ，Ｖ３＝１０Ｖ，Ｖ２＝３０Ｖ，Ｖ１＝４０Ｖ）で構成されているが、ユニット期間▲２▼は各波形すべてＶ４（０Ｖ）、またユニット期間▲５▼は各波形すべて同じＶ１（４０Ｖ）である。したがって、このコレステリック液晶表示装置では、表示内容の書き込み中にコレステリック液晶表示素子の全セグメント電極にＶ４（０Ｖ）が出力される期間と、全セグメント電極にＶ１（４０Ｖ）が出力される期間が含まれる。また、ユニット期間▲１▼およびユニット期間▲３▼はＶ４（０Ｖ）とＶ３（１０Ｖ）の２値の電圧で、ユニット期間▲４▼およびユニット期間▲６▼はＶ２（３０Ｖ）とＶ１（４０Ｖ）の２値の電圧からなっているので、セグメントドライバ１４には、２値以下の出力のものを利用できる。
以上の電圧波形を用いて、図１０に示すようにコレステリック液晶表示素子に実際に出力したＤＤＳ駆動電圧波形および視感反射率測定結果を表５に示す。
0003688704.tif 000006
選択波形の入力時にＯＮ波形を入力すると、コレステリック液晶はプレーナー配向状態に、ＯＦＦ波形を入力するとフォーカルコニック配向状態になった。プレーナー配向状態の視感反射率は１４％前後、フォーカルコニック配向状態は２％程度であり、コントラスト約７であった。
実施例７
実施例１で得られたコレステリック液晶表示素子１０に、図１７Ａ，図１７Ｂに示す電圧波形を用いたＤＤＳ駆動電圧波形を印加して、表示を観察した。
図１７Ａ，図１７Ｂに示すコモン電極に出力する全電圧波形、セグメント電極に出力する全電圧波形は、すべて同じ長さ（０．８ｍｓｅｃ）であり、▲１▼〜▲８▼の８つのユニット期間からなる。
コモン電極に出力される波形は、全部で４値の電圧（Ｖｈ＝３７Ｖ，Ｖｍｈ＝２０Ｖ，Ｖｍｌ＝１０Ｖ，Ｖｌ＝０Ｖ）で構成されているが、ユニット期間▲４▼がＶｍｌ（１０Ｖ）とＶｌ（０Ｖ）の２値の電圧で、ユニット期間▲５▼がＶｍｈ（２０Ｖ）と（１０Ｖ）の２値の電圧で、他のユニット期間はＶｈ（３７Ｖ）とＶｌ（０Ｖ）の２値の電圧からなっているので、コモンドライバ１２には、２値の出力のものを利用できる。また、リセット波形，選択波形，保持波形，非選択波形の全部が同じ電圧のユニット期間は存在しないので、このコレステリック液晶表示装置では、表示内容の書き込み中にコレステリック液晶表示素子の最初のコモン電極に保持波形が印加され始めてから最後のコモン電極にリセット波形が印加され終わるまでの期間内に、全コモン電極に同じ電圧が印加される期間は存在しない。
セグメント電極に出力される波形は、全部で３値の電圧（Ｖ４＝０Ｖ，Ｖ２＝２０Ｖ，Ｖ１＝３７Ｖ）で構成されている。ユニット期間▲１▼，▲２▼，▲３▼は、ＯＮ波形，ＯＦＦ波形ともＶ４（０Ｖ）、ユニット期間▲６▼，▲７▼，▲８▼は、ＯＮ波形，ＯＦＦ波形ともＶ１（３７Ｖ）である。したがって、このコレステリック液晶表示装置では、表示内容の書き込み中にコレステリック液晶表示素子の全セグメント電極にＶ４（０Ｖ）が出力される期間、およびＶ１（３７Ｖ）が出力される期間が含まれる。また、ユニット期間▲４▼および▲５▼は、Ｖ２（２０Ｖ）とＶ４（０Ｖ）の２値の電圧からなっているので、セグメントドライバ１４には、２値以下の出力ものを利用できる。
以上の電圧波形を用いて、図１０に示すようにコレステリック液晶表示素子に実際に出力したＤＤＳ駆動電圧波形、および視感反射率測定結果を表６に示す。選択波形の入力時にＯＮ波形を入力すると、コレステリック液晶はプレーナー配向に、ＯＦＦ波形を入力するとフォーカルコニック配向状態になった。プレーナー配向状態の視感反射率は１５％前後、フォーカルコニック配向状態は、２．５％程度であり、コントラスト約６であった。
0003688704.tif 000007
産業上の利用可能性
本発明によれば、コモン電極に電圧を印加するコモン電極用ドライバの出力を２値に、セグメント電極に電圧を印加するセグメント用ドライバの出力を２値以下とする駆動が可能となった。したがって、ＤＤＳ駆動専用に作製するドライバＩＣのコストを抑えることができる。また、汎用ドライバＩＣを使用したＤＤＳ駆動が可能なコレステリック液晶表示装置を得ることも可能になった。
【図１】
0003688704.tif 000008
【図２】
0003688704.tif 000009
【図３Ａ】
0003688704.tif 000010
【図３Ｂ】
0003688704.tif 000011
【図４Ａ】
0003688704.tif 000012
【図４Ｂ】
0003688704.tif 000013
【図５】
0003688704.tif 000014
【図６】
0003688704.tif 000015
【図７Ａ】
0003688704.tif 000016
【図７Ｂ】
0003688704.tif 000017
【図８Ａ】
0003688704.tif 000018
【図８Ｂ】
0003688704.tif 000019
【図８Ｃ】
0003688704.tif 000020
【図９】
0003688704.tif 000021
【図１０】
0003688704.tif 000022
【図１１Ａ】
0003688704.tif 000023
【図１１Ｂ】
0003688704.tif 000024
【図１２】
0003688704.tif 000025
【図１３Ａ】
0003688704.tif 000026
【図１３Ｂ】
0003688704.tif 000027
【図１４Ａ】
0003688704.tif 000028
【図１４Ｂ】
0003688704.tif 000029
【図１５Ａ】
0003688704.tif 000030
【図１５Ｂ】
0003688704.tif 000031
【図１６Ａ】
0003688704.tif 000032
【図１６Ｂ】
0003688704.tif 000033
【図１７Ａ】
0003688704.tif 000034
【図１７Ｂ】
0003688704.tif 000035